(57)【要約】    【課題】  使い勝手の良好な脱臭機能付きの引き出しを提供すること。    【解決手段】  底面部２と側面部３とによって画成される収容部４を有し、収容部４の脱臭を行うための吸着材５が設けられる引き出し１であって、吸着材５は、矩形のシート状に形成され、底面部２及び側面部３に密着するように収容部４にはめ込まれる構成としたこと。【選択図】  図１
2007190321.tif 000002
【特許請求の範囲】
【請求項１】
底面部と側面部とによって画成される収容部を有し、該収容部の脱臭を行うための吸着材が設けられる引き出しであって、
前記吸着材は、シート状に形成され、前記底面部及び前記側面部に密着するように前記収容部にはめ込まれることを特徴とする引き出し。
【請求項２】
前記吸着材は、前記底面部に接する第１の面と前記側面部に接する第２の面とを有する展開図から形成され、前記第１の面及び前記第２の面が前記底面部及び前記側面部にそれぞれ密着するように前記収容部にはめ込まれることを特徴とする請求項１に記載の引き出し。
【請求項３】
前記吸着材には、該吸着材の輪郭に沿って延在する複数のミシン目が設けられることを特徴とする請求項２に記載の引き出し。
【発明の詳細な説明】
【技術分野】
【０００１】
本発明は、家具の引き出しに関する。
【背景技術】
【０００２】
公知の引き出しが、後述の特許文献１に記載されている。この引き出しは、
底板と側板とによって画成される収容部を有し、収容部の脱臭を行うための吸着材が設けられるものである。側板は、１枚の芯材と２枚の表材が積層されて成る。吸着材は、側板の心材に形成された中空のスリット内に収納されている。
【特許文献１】特開２００１−１０４０７６号公報
【発明の開示】
【発明が解決しようとする課題】
【０００３】
上述の引き出しにおいては、吸着材を収納するためのスペースが側板に設けられる必要があるので、側板の厚みが増す。このため、引き出しの外形寸法が同一である場合において、引き出しの収容部の容積が減少することとなる。また、側板のスリットは細く形成されるので、引き出しのユーザが吸着材を交換し難い。
【０００４】
以上の様に、特許文献１に記載の引き出しは、脱臭機能の確保に際して様々な不都合を生じており、使い勝手が良好であるとはいい難かった。
【０００５】
よって、本発明は上記の問題点に鑑みてなされたものであり、使い勝手の良好な脱臭機能付きの引き出しを提供することを課題とする。
【課題を解決するための手段】
【０００６】
上記課題を解決するために、本発明にて講じた技術的手段は、請求項１に記載の様に、底面部と側面部とによって画成される収容部を有し、該収容部の脱臭を行うための吸着材が設けられる引き出しであって、前記吸着材は、シート状に形成され、前記底面部及び前記側面部に密着するように前記収容部にはめ込まれる構成としたことである。
【０００７】
好ましくは、請求項２に記載の様に、前記吸着材は、前記底面部に接する第１の面と前記側面部に接する第２の面とを有する展開図から形成され、前記第１の面及び前記第２の面が前記底面部及び前記側面部にそれぞれ密着するように前記収容部にはめ込まれると良い。
【０００８】
好ましくは、請求項３に記載の様に、前記吸着材には、該吸着材の輪郭に沿って延在する複数のミシン目が設けられると良い。
【発明の効果】
【０００９】
請求項１に記載の発明によれば、底面部と側面部とによって画成される収容部の脱臭を行うための吸着材は、シート状に形成され、底面部と側面部に密着するように収容部にはめ込まれる。この構造においては、吸着材がはめ込まれた後の引き出しの容積は、吸着材がはめ込まれる前の容積に対しほとんど変化がない。さらに、吸着材がはめ込まれる収容部は、物品を収容すべく十分な大きさに形成されるので、引き出しのユーザが吸着材を交換し易い。このように、本発明の引き出しは、脱臭機能の確保に際して不都合を生じることがなく、使い勝手の良好なものとなっている。なお、吸着材は、脱臭のみならず、有害ガス（ＶＯＣ）除去にも活用可能となる。
【００１０】
請求項２に記載の発明によれば、吸着材は、底面部に接する第１の面と側面部に接する第２の面とを有する展開図から形成されるので、引き出しのユーザは、収容部の形状に合わせて吸着材を組み立てた後、この吸着材を収容部に簡単にはめ込むことができる。
【００１１】
請求項３に記載の発明によれば、吸着材には複数のミシン目が設けられるので、引き出しのユーザは、吸着材をミシン目にて適宜切断することで、吸着材における第１の面及び第２の面の寸法を変化させることができ、自身の所有する引き出しの底面部及び側面部の寸法（引き出しの容積）に合わせて吸着材を作ることができる。
【発明を実施するための最良の形態】
【００１２】
以下、本発明を実施するための最良の形態を、図面を基に説明する。
【００１３】
図１は、本発明に係る引き出し１の斜視図である。引き出し１は、底面部２と、側面部３から成る箱型のものである。側面部３は、底面部２に連続して設けられ、枠を形成している。引き出し１は、底面部２と側面部３とによって画成される収容部４を有している。引き出し１には、収容部４の脱臭を行うための吸着材５が設けられている。吸着材５は、矩形のシート状に形成され、底面部２及び側面部３に密着するように、引き出し１の収容部４にはめ込まれる。
【００１４】
図２は、吸着材５の展開図である。吸着材５は、引き出し１の底面部２に接する第１の面５１と引き出し１の側面部３に接する第２の面５２とを有する展開図から形成される。吸着材５は、公知の芳香剤の機能を有するものでも良い。シート状の吸着材５は、引き出し１の収容部４の形状に合わせて組み立てられた後、第１の面５１及び第２の面５２が引き出し１の底面部２及び側面部３にそれぞれ密着するように、収容部４にはめ込まれる。
【００１５】
なお、図３に示す様に、吸着材５に複数のミシン目６が設けられても良い（図３においては３本にのみ符番を付す）。ミシン目６は、矩形を成す吸着材５の輪郭に沿って延在している。引き出し１のユーザは、シート状の吸着材５をこのミシン目６にて適宜切断することで、吸着材５における第１の面５１及び第２の面５２の寸法を変化させることができる。これにより、ユーザは、自身の所有する引き出し１のサイズ（容積）に合わせて吸着材５を作ることができる。
【００１６】
以上説明した様に、本発明の引き出し１によれば、引き出し１の収容部４の脱臭を行うための吸着材５は、矩形のシート状に形成され、引き出し１の底面部２と側面部３に密着するように収容部４にはめ込まれる。この構造においては、吸着材５がはめ込まれた後の引き出し１の容積は、吸着材５がはめ込まれる前の容積に対しほとんど変化がない。さらに、吸着材５がはめ込まれる引き出し１の収容部４は、物品を収容すべく十分な大きさに形成されるので、引き出し１のユーザが吸着材５を交換し易い。このように、本発明の引き出し１は、脱臭機能の確保に際して不都合を生じることがなく、使い勝手の良好なものとなっている。
【００１７】
また、本発明の引き出し１によれば、吸着材５は、引き出し１の底面部２に接する第１の面５１と引き出し１の側面部３に接する第２の面５２とを有する展開図から形成されるので、引き出し１のユーザは、引き出し１の収容部４の形状に合わせて吸着材５を組み立てた後、この吸着材５を収容部４に簡単にはめ込むことができる。
【００１８】
また、本発明の引き出し１によれば、吸着材５には複数のミシン目６が設けられるので、引き出しのユーザは、吸着材５をミシン目６にて適宜切断することで、吸着材５における第１の面５１及び第２の面５２の寸法を変化させることができる。これにより、引き出し１のユーザは、自身の所有する引き出し１の底面部２及び側面部３の寸法（引き出し１の容積）に合わせて吸着材５を作ることができる。
【図面の簡単な説明】
【００１９】
【図１】本発明に係る引き出し１の斜視図
【図２】吸着材５の展開図。
【図３】ミシン目６が設けられる吸着材５の展開図。
【符号の説明】
【００２０】
１  引き出し
２  底面部
３  側面部
４  収容部
５  吸着材
６  ミシン目
５１  第１の面
５２  第２の面
【図１】
2007190321.tif 000003
【図２】
2007190321.tif 000004
【図３】
2007190321.tif 000005